(57)【要約】【構成】  ショッピングストアの管理部に主ディスプレイを備えた情報作成装置を設置しする、前記ショッピングストア内を移動するショッピングカートに移動ディスプレイを設置する、この移動ディスプレイは前記情報作成装置のディスプレイ出力端子と無線の通信手段によって繋ぐ、前記主ディスプレイと同じ画面を表示する、ショッピングカート用情報伝達システムである。【効果】  一組のパソコンと複数のディスプレイを用意し、主ディスプレイを見ながら情報作成装置を操作するのみで、商品情報や広告宣伝情報（請け負ったものを含む）について同時に同じものをショッピングカートを使用している全買い物客に流すことができる。簡単な装置で商品情報や広告宣伝情報（請け負ったものを含む）を買い物客に提供することができるため、維持管理に手間がかからないとともに設置コストも低額で済む。  【選択図】  図１
2009146230.tif 000002
【特許請求の範囲】
【請求項１】
ショッピングストアの管理部に主ディスプレイを備えた情報作成装置を設置し、且つ、前記ショッピングストア内を移動するショッピングカートに移動ディスプレイを設置し、この移動ディスプレイは前記情報作成装置のディスプレイ出力端子と無線の通信手段によって繋がれ、前記主ディスプレイと同じ画面を表示することを特徴とするショッピングカート用情報伝達システム。
【請求項２】
前記ショッピングカートに発電機を設置し、この発電機は前記ショッピングカートの車輪の回転によって発電することを特徴とする請求項１のショッピングカート用情報伝達システム。
【発明の詳細な説明】
【技術分野】
【０００１】
この発明はショッピングカート用情報伝達システムに関し、例えば、ショッピングストアにおいて使用されるものである。
【背景技術】
【０００２】
従来におけるこの種のショッピングカート用情報伝達システムにあっては、ショッピングカートに情報受信部を設け、パソコン等の情報発信部から無線によって送信される情報をこの情報受信部によって受信し、受信した情報を選択した後に、ショッピングカートに設置されたディスプレイに表示していた。
【０００３】
【特許文献１】特開２００４−１１０８０５号公報
【発明の開示】
【発明が解決しようとする課題】
【０００４】
しかしながら、かかる従来のショッピングカート用情報伝達システムにあっては、各ショッピングカートによって選択的に情報を表示するようになっていたため、情報発信部および情報受信部の構造が複雑になり、この結果、維持管理に手間がかかるとともに設置コストが高額化せざるを得ないという不都合を有した。
【０００５】
この発明の課題はこの不都合を解消することである。
【課題を解決するための手段】
【０００６】
前記不都合を解消するために、この発明に係るショッピングカート用情報伝達システムにおいては、ショッピングストアの管理部に主ディスプレイを備えた情報作成装置を設置し、且つ、前記ショッピングストア内を移動するショッピングカートに移動ディスプレイを設置し、この移動ディスプレイは前記情報作成装置のディスプレイ出力端子と無線の通信手段によって繋がれ、前記主ディスプレイと同じ画面を表示するようにしたものである。
【０００７】
なお、前記ショッピングカートに発電機を設置し、この発電機は前記ショッピングカートの車輪の回転によって発電するようにすることもできる。
【発明の効果】
【０００８】
この発明に係るショッピングカート用情報伝達システムは上記のように構成されているため、即ち、ショッピングストアの管理部に主ディスプレイを備えた情報作成装置を設置し、且つ、前記ショッピングストア内を移動するショッピングカートに移動ディスプレイを設置し、この移動ディスプレイは前記情報作成装置のディスプレイ出力端子と無線の通信手段によって繋がれ、前記主ディスプレイと同じ画面を表示するようにしたため、
情報作成装置によって作成された文字・図形等の情報が、主ディスプレイと各ショッピングカートの移動ディスプレイに同時に表示されるものである。
【０００９】
このため、ショッピングストアの管理部における管理者は、一組のパソコンと複数のディスプレイを用意し、主ディスプレイを見ながら情報作成装置を操作するのみで、商品情報や広告宣伝情報（請け負ったものを含む）について同時に同じものをショッピングカートを使用している全買い物客に流すことができる。
【００１０】
よって、このショッピングカート用情報伝達システムを使用すれば、簡単な装置で商品情報や広告宣伝情報（請け負ったものを含む）を買い物客に提供することができるため、維持管理に手間がかからないとともに設置コストも低額ですむ。
【発明を実施するための最良の形態】
【００１１】
この発明に係るショッピングカート用情報伝達システムは、ショッピングストアの管理部に主ディスプレイを備えた情報作成装置を設置する、ショッピングストア内を移動するショッピングカートに移動ディスプレイを設置する、この移動ディスプレイは情報作成装置のディスプレイ出力端子と無線の通信手段によって繋がれている、主ディスプレイと同じ画面を表示する、ことに最も主要な特徴を有する。
【実施例】
【００１２】
以下、この発明の実施例を図面に基づいて説明する。
【００１３】
図１はこの発明に係るショッピングカート用情報伝達システムの概念図、図２はショッピングカートの実施例図である。
【００１４】
図１において、Ｓはショッピングカート用情報伝達システムであり、ショッピングストア内に設置されている。
【００１５】
10はパソコン（この発明の「情報作成装置」に該当する）であり、通常、ショッピングストアの管理部に設置されている。情報作成装置としてしてパソコン10を使用すれば、使用者は管理しやすいし又設置費用を抑えることができる。
【００１６】
11は前記パソコン10の入力装置であり、キーボード、スキャナ等が該当する。また、インターネットを介して情報を入手することもできる。
【００１７】
また、12は、前記パソコン10の記憶装置であり、ハードディスク等が該当する。
【００１８】
また、13は主ディスプレイであり、前記パソコン10につながれ、このパソコン10によって作成された、文字・図形等からなる商品情報や広告宣伝情報（請け負ったものを含む）を表示する。
【００１９】
次に、20,20,…はショッピングカートであり、前記ショッピングストア内を移動する。21,21,…は移動ディスプレイであり、このショッピングカート20,20,…に各々１つづつ設置されている。  この移動ディスプレイ21は、前記パソコン10のディスプレイ出力端子15と無線の通信手段（発信部51と受信部52とから構成される）（例えば、無線ラン等）50によって繋がれ、前記主ディスプレイ13と同じ画面を同時に表示するものである。
【００２０】
すなわち、前記パソコン10は複数のディスプレイに同時に同一の商品情報や広告宣伝情報を表示するものである。
【００２１】
図２に基づいて、前記ショッピングカート20について説明する。
このショッピングカート20は買物かご部22の下に車輪23,23,…が設置され、この車輪23,23,…を介して移動する。24は把手であり、前記買物かご部22の後部に設置されている。買物客はこの把手24を握りショッピングカート20を押しながらショッピングストア内を移動する。
【００２２】
前記移動ディスプレイ21は、把手24を押す買物客に見やすい状態で、この把手24に着脱可能に設置されている。このため、買物客はショッピングカート20を押しながら、この移動ディスプレイ21に表示された文字・図形を観察することができる。
【００２３】
30は発電機であり、前記ショッピングカート20の車輪23の部分に設置されている。この発電機30はこの車輪23の回転によって回転し、発電する。発電された電気は充電され前記移動ディスプレイ21の電源として使用される。
【産業上の利用可能性】
【００２４】
この発明は、簡単な装置で商品情報や広告宣伝情報（請け負ったものを含む）を、ショッピングカートを押している買い物客に提供する場合に利用することができる。
【図面の簡単な説明】
【００２５】
【図１】図１はこの発明に係るショッピングカート用情報伝達システムの概念図である。
【図２】図２はショッピングカートの実施例図である。
【符号の説明】
【００２６】
Ｓ  …  ショッピングカート用情報伝達システム
10  …  パソコン（情報作成装置）
11  …  パソコンの入力装置
12  …  パソコンの記憶装置
13  …  主ディスプレイ
15  …  ディスプレイ出力端子
20  …  ショッピングカート
21  …  移動ディスプレイ
22  …  買物かご部
23  …  車輪
24  …  把手
30  …  発電機
51  …  発信部（無線の通信手段50）
52  …  受信部（無線の通信手段50）
【図１】
2009146230.tif 000003
【図２】
2009146230.tif 000004